(57)【要約】【課題】ユーザの望む調整を、自動で適切なタイミングで実行することのできる画像形成装置を提供する。【解決手段】  画像形成装置は、画像形成に係る各種の調整項目の調整を行う場合における調整内容および、その調整を実行するための実行開始条件の設定を受け付け、プロファイルとして予め登録しておく。その後、画像形成装置は、その登録されているプロファイルに設定されている実行開始条件が成立する場合に、該プロファイルに設定されている調整内容に従って調整項目の調整を行う。【選択図】図６
2018043433.tif 000002
【特許請求の範囲】
【請求項１】
印刷ジョブを受けるジョブ受付部と、
前記ジョブ受付部が受け付けた印刷ジョブに従って画像形成を行う画像形成部と、
前記画像形成に係る調整項目の調整を行う調整部と、
前記調整部が行う調整内容および、前記調整の実行開始条件の設定を受け、プロファイルとして登録するプロファイル作成部と、
前記プロファイル作成部が登録したプロファイルに設定されている実行開始条件が成立する場合に、該プロファイルに設定されている調整内容に従って前記調整部に前記調整を行わせる制御部と、
を備える
ことを特徴とする画像形成装置。
【請求項２】
前記調整項目は複数あり、
前記調整内容は、前記調整の対象となる調整項目および、該調整項目について前記調整を行う実行順番を示し、
前記調整部は、前記実行順番に従って前記調整を行う
ことを特徴とする請求項１に記載の画像形成装置。
【請求項３】
前記制御部は、次に実行する印刷ジョブに前記プロファイルの指定が含まれている場合は、前記印刷ジョブに基づく画像形成を開始する前に、前記指定されたプロファイルに設定されている調整内容に従って前記調整部に前記調整を行わせる
ことを特徴とする請求項１または２に記載の画像形成装置。
【請求項４】
次に実行する印刷ジョブが所定の画像形成条件を満たすことを、前記実行開始条件の一つとして設定可能である
ことを特徴とする請求項１乃至３のいずれか１つに記載の画像形成装置。
【請求項５】
前記プロファイル作成部は、前記プロファイルの登録を指示したユーザを、前記プロファイルに対応づけて登録しておき、
次に実行する印刷ジョブを入力したユーザと当該プロファイルに対応づけて登録されているユーザが不一致の場合は実行しないことが、前記実行開始条件の一つとして設定可能である
ことを特徴とする請求項１乃至４のいずれか１つに記載の画像形成装置。
【請求項６】
前記制御部は、実行間隔確保の設定が成されている場合は、前記実行開始条件が成立しても、前記調整部が前記調整を行ってから、前記画像形成部が一定以上の枚数の用紙に画像形成を行っていない、もしくは、一定以上の時間が経過していない場合は、前記調整部に前記調整を行わせない
ことを特徴とする請求項１乃至５のいずれか１つに記載の画像形成装置。
【請求項７】
自装置の状態に係る所定の条件を満たすことが、前記実行開始条件の一つである
ことを特徴とする請求項１乃至６のいずれか１つに記載の画像形成装置。
【請求項８】
前記制御部は、ユーザからプロファイルの指定とその実行指示を受けた場合は、前記指定されたプロファイルに設定されている調整内容に従って前記調整部に前記調整を行わせる
ことを特徴とする請求項１乃至７のいずれか１つに記載の画像形成装置。
【請求項９】
前記制御部は、前記画像形成部が画像形成した枚数をカウントするとともに、そのカウント枚数が所定値に達したら、所定の調整項目に係る調整を前記調整部に行わせて前記カウント枚数をリセットすると共に、前記プロファイルに従って前記調整部に前記所定の調整項目の調整を行わせた場合は前記カウント枚数をリセットする
ことを特徴とする請求項１乃至８のいずれか１つに記載の画像形成装置。
【発明の詳細な説明】
【技術分野】
【０００１】
本発明は、画像形成に係る各種の調整項目について、調整を行う画像形成装置に関する。
【背景技術】
【０００２】
通常、プリンタなどの画像形成装置は、カラーレジスト調整、最高濃度調整等、画像形成に係る各種の調整項目を持ち、一定以上の画質を確保するため周期的に調整を行っている。また、前述の周期的なタイミングのみではなく、ユーザが任意のタイミングで必要な調整項目の調整を行う場合もある。たとえば、ユーザは次に実行予定の印刷ジョブにて、一定以上の画質を確実に確保したい場合に、該印刷ジョブに応じた調整項目の調整を行う。
【０００３】
しかし、従来の画像形成装置では、ユーザの望む画質を確保するためには、どのような時にどのような調整項目に係る調整を行うかをユーザ自身が、その都度、判断しなければならない。たとえば、特定の画像形成条件で画像形成を行う場合や、一定時間以上画像形成を行わなかった場合など、調整が必要となるタイミング、およびそれらのタイミングごとに必要な調整内容を全て把握するのはユーザにとって負担が大きい。そこで上記の問題を解決すべく、以下の方法が開示されている。
【０００４】
下記特許文献１には、調整を行う調整項目の選択を受ける場合において、調整目的や、調整を実行させるユーザ等に応じて、必要な調整項目のみを表示させる方法が開示されている。
【０００５】
下記特許文献２には、所定の画像形成条件で画像形成を行うとき、その条件で画像形成する際に必要な調整をユーザに通知する方法が開示されている。下記特許文献３には、カラーページの割合や解像度に応じて、調整が必要か否かを判定する、もしくはユーザに調整が必要かを確認する方法が開示されている。
【先行技術文献】
【特許文献】
【０００６】
【特許文献１】特開２００２−２４４５０３号公報
【特許文献２】特開２００９−１２８６９６号公報
【特許文献３】特開２０１１−１６１８１３号公報
【発明の概要】
【発明が解決しようとする課題】
【０００７】
特許文献１に記載の方法では、調整目的や調整を行うユーザを基準にして、必要な調整項目がある程度絞られて表示されるものの、実行しようとしている印刷ジョブの画像形成条件（カラー／モノクロ、文字／写真、解像度、要求画質、黒率等）や、機械状態（朝一、一定時間放置、前回調整後のプリント枚数、環境温度・湿度等）などに基づいて、実際に調整すべき調整項目を、ユーザがその都度判断して、調整指示を行わなければならない。
【０００８】
特許文献２および特許文献３では、所定の画像形成条件で画像形成を行うとき、該画像形成条件に応じて必要な調整を通知することができるが、画像形成条件毎に必要な調整項目は予め装置が設定しておく構成となっており、ユーザが画像形成条件ごとに調整したい調整項目をカスタマイズする事はできない。そのため、ユーザが望まない調整内容が実施される場合があり、生産性の低下や消耗品が浪費を招いてしまう。
【０００９】
本発明は、上記の問題を解決しようとするものであり、ユーザの望む調整を、自動で適切なタイミングに実行することのできる画像形成装置を提供することを目的としている。
【課題を解決するための手段】
【００１０】
かかる目的を達成するための本発明の要旨とするところは、次の各項の発明に存する。
【００１１】
［１］印刷ジョブを受けるジョブ受付部と、
前記ジョブ受付部が受け付けた印刷ジョブに従って画像形成を行う画像形成部と、
前記画像形成に係る調整項目の調整を行う調整部と、
前記調整部が行う調整内容および、前記調整の実行開始条件の設定を受け、プロファイルとして登録するプロファイル作成部と、
前記プロファイル作成部が登録したプロファイルに設定されている実行開始条件が成立する場合に、該プロファイルに設定されている調整内容に従って前記調整部に前記調整を行わせる制御部と、
を備える
ことを特徴とする画像形成装置。
【００１２】
上記発明では、画像形成に係る各種の調整項目について、調整内容および実行開始条件の設定を受け、プロファイルとして登録しておく。その後、実行開始条件が成立する場合に、該プロファイルに設定されている調整内容に従って調整を行う。これにより、ユーザの望む内容の調整が、自動で適切なタイミングで実行される。
【００１３】
［２］前記調整項目は複数あり、
前記調整内容は、前記調整の対象となる調整項目および、該調整項目について前記調整を行う実行順番を示し、
前記調整部は、前記実行順番に従って前記調整を行う
ことを特徴とする［１］に記載の画像形成装置。
【００１４】
上記発明では、ユーザはどの調整項目について調整を行うか、およびその調整の実行順番も設定することができる。
【００１５】
［３］前記制御部は、次に実行する印刷ジョブに前記プロファイルの指定が含まれている場合は、前記印刷ジョブに基づく画像形成を開始する前に、前記指定されたプロファイルに設定されている調整内容に従って前記調整部に前記調整を行わせる
ことを特徴とする［１］または［２］に記載の画像形成装置。
【００１６】
上記発明では、次に実行する印刷ジョブの中にプロファイルの指定が含まれている場合は、その指定されているプロファイルに設定されている内容の調整を行ってから、該印刷ジョブを実行する。ユーザがプロファイルの指定を印刷ジョブに含ませておくことで、その印刷ジョブの実行前に調整が実行され、一定以上の画質が確実に確保される。
【００１７】
［４］次に実行する印刷ジョブが所定の画像形成条件を満たすことを、前記実行開始条件の一つとして設定可能である
ことを特徴とする［１］乃至［３］のいずれか１つに記載の画像形成装置。
【００１８】
上記発明では、次に実行する印刷ジョブが所定の画像形成条件を満たすことを実行開始条件の一つとして設定可能とする。次に実行する印刷ジョブが所定の画像形成条件を満たす場合、対応するプロファイルに設定されている内容の調整を行ってから該印刷ジョブを実行されるので、該印刷ジョブの実行時において一定以上の画質が確実に確保される。所定の画像形成条件には、たとえば、カラー/モノクロ印刷、画像形成対象の画像の種類（文字/写真）、解像度、片面/両面印刷などの印刷設定などが該当する。
【００１９】
［５］前記プロファイル作成部は、前記プロファイルの登録を指示したユーザを、前記プロファイルに対応づけて登録しておき、
次に実行する印刷ジョブを入力したユーザと当該プロファイルに対応づけて登録されているユーザが不一致の場合は実行しないことが、前記実行開始条件の一つとして設定可能である
ことを特徴とする［１］乃至［４］のいずれか１つに記載の画像形成装置。
【００２０】
上記発明では、プロファイルに、そのプロファイルの登録を指示したユーザの情報を紐付けて登録しておく。そして、次に実行する印刷ジョブを入力したユーザと、プロファイルに対応づけて登録されているユーザが不一致の場合は、当該プロファイルの内容の調整を行わないことを、実行開始条件の一つとして設定可能とする。これにより、一のユーザが印刷ジョブを入力したとき、他のユーザが登録したプロファイルの調整が意図せずに実行されてしまうことを防ぐことができる。
【００２１】
［６］前記制御部は、実行間隔確保の設定が成されている場合は、前記実行開始条件が成立しても、前記調整部が前記調整を行ってから、前記画像形成部が一定以上の枚数の用紙に画像形成を行っていない、もしくは、一定以上の時間が経過していない場合は、前記調整部に前記調整を行わせない
ことを特徴とする［１］乃至［５］のいずれか１つに記載の画像形成装置。
【００２２】
上記発明では、短い間隔で何度も調整が行われることを防ぐために、実行間隔確保の設定が成されている場合は、調整を行った後は一定以上の枚数の用紙に画像形成が行われるまで、もしくは一定以上の時間が経過するまでは、実行開始条件が成立していても調整を行わないようにする。
【００２３】
［７］自装置の状態に係る所定の条件を満たすことが、前記実行開始条件の一つである
ことを特徴とする［１］乃至［６］のいずれか１つに記載の画像形成装置。
【００２４】
上記発明では、自装置の状態がプロファイルに設定されている条件を満たす状態になったとき該プロファイルに設定されている調整を行う。たとえば、朝一、一定時間放置、前回調整後の印刷枚数、周辺環境の温度・湿度等を所定の条件とする。自装置の状態に応じて予め調整を行っておけば、印刷ジョブの実行時における調整が不要となり、その分生産効率が増加する。
【００２５】
［８］前記制御部は、ユーザからプロファイルの指定とその実行指示を受けた場合は、前記指定されたプロファイルに設定されている調整内容に従って前記調整部に前記調整を行わせる
ことを特徴とする［１］乃至［７］のいずれか１つに記載の画像形成装置。
【００２６】
上記発明では、実行開始条件の成立、不成立に係らず、ユーザからプロファイルの指定と、その実行指示を受けたら、その指定されたプロファイルの内容の調整を実行する。
【００２７】
［９］前記制御部は、前記画像形成部が画像形成した枚数をカウントするとともに、そのカウント枚数が所定値に達したら、所定の調整項目に係る調整を前記調整部に行わせて前記カウント枚数をリセットすると共に、前記プロファイルに従って前記調整部に前記所定の調整項目の調整を行わせた場合は前記カウント枚数をリセットする
ことを特徴とする［１］乃至［８］のいずれか１つに記載の画像形成装置。
【００２８】
上記発明では、プロファイルとして登録されていなくとも、画像形成した枚数のカウントが所定値に達したら、所定の調整項目に係る調整を行い、カウント枚数をリセットする。ただし、実行開始条件の成立に起因してプロファイルの内容の調整を行った時に所定の調整項目に係る調整を実行した場合は、その時点でカウント枚数をリセットする。
【発明の効果】
【００２９】
本発明に係る画像形成装置によれば、ユーザの望む調整を、自動で適切なタイミングで実行することができる。
【図面の簡単な説明】
【００３０】
【図１】本発明の実行の形態に係る画像形成装置の全体、および画像形成における主要部の概略を示す説明図である。
【図２】本発明の実行の形態に係る画像形成装置の概略構成を示すブロック図である。
【図３】プロファイルを登録するための画面であって、調整を実行する調整項目の選択、およびその実行順番の指定を受ける画面を示す図である。
【図４】プロファイルを登録するための画面であって、いずれの機械状態の時に調整を行うかの指定を受ける画面を示す図である。
【図５】プロファイルを登録するための画面であって、いずれの画像形成条件が成立する時に調整を行うかの指定を受ける画面を示す図である。
【図６】登録されたプロファイルの一覧を含む画面を示す図である。
【図７】印刷ジョブが投入された場合に実行する処理を示す流れ図である。
【図８】図７の処理の続きを示す流れ図である。
【図９】実行開始条件が成立するプロファイルが複数ある場合の様子を示す図である。
【発明を実施するための形態】
【００３１】
以下、図面に基づき本発明の実行の形態を説明する。
【００３２】
図１は、本発明の実行の形態に係る画像形成装置１０を示す。画像形成装置１０は、原稿を光学的に読み取ってその複製画像を記録紙に印刷するコピージョブ、読み取った原稿の画像データをファイルにして保存したり外部装置へ送信したりするスキャンジョブ、外部の端末などから送出されたデータに係る画像を記録紙に印刷して出力する印刷ジョブなどのジョブを実行する機能を備えた、所謂、複合機である。
【００３３】
画像形成装置１０は、印刷ジョブに従って画像形成を行う場合、給紙部５０が保持している記録紙を給紙して、プリンタ部１８にて画像形成を行い、後処理部６０で印刷ジョブの指定する後処理を行った後、その記録紙を排紙部５１に排紙する。プリンタ部１８は、記録紙に画像を定着させる定着部４０を含む複数の機構によって構成される。
【００３４】
本発明の実行の形態では、画像形成装置１０は、カラーレジスト調整、最高濃度調整等、画像形成に係る各種の調整項目を持ち、対応する各部の設定値等を調整することで、一定以上の画質を確保する。以後、前述の調整を行う処理を画質確保調整と呼ぶ。
【００３５】
また、本発明の実行の形態では、画像形成装置１０は、前述の画質確保調整を実行する場合の調整内容および、該画質確保調整の実行開始条件の設定を、操作パネル３０を通じてユーザから受け、プロファイルとして登録しておく。そして、その登録したプロファイルに設定されている実行開始条件が成立する場合に、該プロファイルに設定されている調整内容に従って、前述の画質確保調整を実行する。これにより、ユーザの望む画質確保調整を、自動で適切なタイミングで実行することができる。
【００３６】
なお、本発明の実行の形態では、画像形成装置１０は、プロファイルに設定されている実行開始条件を満たした場合に限らず、以下の（１）〜（３）の場合にも画質確保調整を行う。
（１）、次に実行する印刷ジョブにプロファイルの指定が含まれていた場合は、該印刷ジョブの実行直前にその指定されたプロファイルに設定されている調整内容に従って、前述の画質確保調整を行う。
（２）、自装置に登録されているプロファイルの一覧からプロファイルの指定を受けるとともに、プロファイルの実行開始指示を受けたら、その指定されたプロファイルに設定されている調整内容に従って、前述の画質確保調整を行う。
（３）画像形成装置１０は、画像形成した枚数をカウントしておき、そのカウント枚数が所定値に達したら、所定の調整項目について画質確保調整を実行し、カウント枚数をリセットする。カウント枚数が所定値に達する前に、プロファイルに従って所定の調整項目に対する画質確保調整を実行した場合は、そのカウント枚数をリセットする。
【００３７】
次に、本発明の実行の形態に係る画像形成装置１０の構成について説明する。
【００３８】
図２は、本発明の実行の形態に係る画像形成装置１０の概略構成を示すブロック図である。画像形成装置１０は、当該画像形成装置１０の動作を統括的に制御するＣＰＵ(Central Processing Unit)１１を有している。マイクロプロセッサを含むＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、給紙部５０と、排紙部５１と、後処理部６０と、ユーザ認証部２１と、操作パネル３０が接続されて構成されている。
【００３９】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００４０】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００４１】
ＲＡＭ１３は、ＣＰＵ１１がプログラムに基づいて処理を実行する際に各種のデータを一時的に格納するワークメモリや画像データを格納する画像メモリなどとして使用される。
【００４２】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム、印刷データや画像データ、ジョブに係る情報履歴などが保存される。本発明の実行の形態では、ユーザからの操作を受けて登録したプロファイルはハードディスク装置１５に格納される。
【００４３】
画像処理部１６は、画像の拡大縮小、回転などの処理のほか、印刷データをイメージデータに変換するラスタライズ処理、画像データの圧縮、伸張処理などを行う。
【００４４】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４５】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着部４０とを有し、電子写真プロセスによって画像形成を行う、所謂、レーザープリンタとして構成されている。画像形成は他の方式でもかまわない。
【００４６】
ファクシミリ通信部１９は、ファクシミリ機能を備えた外部装置と公衆回線を通じて画像データを送受信する機能を果たす。
【００４７】
ネットワーク通信部２０は、ＬＡＮなどのネットワークを通じて携帯端末やその他の外部装置との間でデータを通信する機能を果たす。
【００４８】
操作パネル３０は、表示部３１と、操作部３２とを備えている。このうち操作部３２は、スタートボタンなどのスイッチ部３３とタッチパネル部３４とを備えている。表示部３１は、液晶ディスプレイなどで構成され、各種の操作画面、設定画面などを表示する機能を果たす。
【００４９】
タッチパネル部３４は、表示部３１上に設けられている。タッチパネル部３４は、タッチペンや指などで押下された表示部３１上の座標位置や、フリック操作やドラッグ操作等を検出する。
【００５０】
給紙部５０は、記録紙を保持する機能および保持している記録紙を１枚ずつ搬送装置に向けて給紙する機能を果たす。画像形成を行う場合、プリンタ部１８内の搬送装置は、給紙部５０から給紙された記録紙を後処理部６０に向けて搬送する。
【００５１】
後処理部６０は、画像形成が完了した記録紙に対してステープルや折り等の後処理を行い、排紙部５１に排紙する。印刷ジョブにて後処理が設定されていない場合は、画像形成が完了した記録紙に対して後処理を行うことなく排紙部５１に排紙する。
【００５２】
排紙部５１は、後処理部６０によって排紙された記録紙を保持する。
【００５３】
ユーザ認証部２１は、画像形成装置１０を操作しようとするユーザに対してユーザ認証を行う。ユーザ認証の方法は、ユーザＩＤとパスワードを入力したり、ＩＤカード等を使用して認証したりする等、適当な方法であればよい。本発明の実行の形態では、画像形成装置１０にて操作パネル３０を操作する場合には、必ず最初にユーザ認証を行うものとする。
【００５４】
次に、プロファイルを構成する情報について説明する。プロファイルを作成する際には、ユーザは、主に以下の３種の調整内容（調整内容１〜３）についての設定を行う。
（調整内容１）、画質確保調整の対象となる調整項目の選択、および選択した調整項目の実行順番の設定
（調整内容２）、機械状態による実行開始条件の設定
（調整内容３）、画像形成条件による実行開始条件の設定
【００５５】
（調整内容１）では、複数の調整項目の中から、画質確保調整を実行する調整項目の選択を受ける。また、その選択された調整項目について、どの調整項目から画質確保調整を行うかについての実行順番を設定する。
【００５６】
（調整内容２）では、自装置がどのような状態の場合に、画質確保調整を実行するかについて設定する。たとえば、朝一で起動後や、前回画質確保調整を行ってから一定枚数の印刷を行った時、自装置内や近辺の温度や湿度などが一定以上変化した場合に画質確保調整を実行するよう設定することができる。
【００５７】
（調整内容３）では、次に実行する印刷ジョブの画像形成条件がどのような画像形成条件である場合に、画質確保調整を行うかを設定する。本発明の実施の形態では画像形成条件は、所謂、印刷設定の内容等であり、たとえば、モノクロ印刷、カラー印刷、用紙種別、解像度の値、印刷対象の画像の種別（文字or写真）など、次に実行する印刷ジョブの印刷設定にて、特定の内容が設定されている場合に画質確保調整を実行するよう設定することができる。
【００５８】
次に、本発明の実行の形態におけるプロファイルの作成手順について説明する。まず、ユーザは、既に登録されているプロファイルの一覧を示す画面１３０（図６参照）を操作パネル３０に表示させ、新規登録ボタン１３１（図６参照）を押下する。画面１３０は、プロファイルの新規作成、削除、編集等を開始するための初期画面である。詳細については後述する。
【００５９】
新規登録ボタン１３１が押下されたら、画像形成装置１０は、前述の（調整内容１）に示す内容を設定するための画面１００を表示する。図３は画面１００の例を示す。
【００６０】
画面１００内のプロファイル名入力欄１０１は、プロファイル名を設定するための入力欄である。画像形成装置１０は、プロファイル名入力欄１０１が選択されたらキーボード画面を表示し、ユーザから任意の名称の設定を受け付ける。
【００６１】
画面１００内には、９個の各調整項目について、その調整項目を選択するための調整項目選択釦１０２（Ａ〜Ｈ）が表示されている。詳細には、調整項目選択釦１０２Ａはガンマ自動調整を選択するための操作釦であり、調整項目選択釦１０２Ｂは副走査濃度バランス調整を、調整項目選択釦１０２Ｃは最高濃度初期調整を、調整項目選択釦１０２Ｄは最高濃度調整を、調整項目選択釦１０２ＥはＩＤＣ（Image Density Control）センサー調整を、調整項目選択釦１０２Ｆはハイライト調整を、調整項目選択釦１０２Ｇはカラーレジスト調整を、調整項目選択釦１０２Ｈは片寄り自動調整をそれぞれ選択するための操作釦である。
【００６２】
追加釦１０３は、調整項目選択釦で選択された調整項目を、画質確保調整で実施する調整項目に追加するための操作釦である。ユーザは、調整項目選択釦１０２（Ａ〜Ｈ）の中から、いずれか１つの調整項目釦を選択した後、追加ボタン１０３を押下すると、選択中の調整項目釦に対応する調整項目が実行手順欄１０４に追加設定される。複数の調整項目を実行対象に設定したい場合は上記の手順を繰り返す。実行手順欄１０４に追加された調整項目１０２には、追加した順に実行順番が設定される。画質確保調整は該設定された実行順番に従って実行される。
【００６３】
なお、図中では、調整項目選択釦１０２（Ａ〜Ｈ）のうち、実行手順欄１０４に既に設定されている調整項目釦１０２は、グレー表示され、さらなる選択は不可能な状態となる。
【００６４】
削除ボタン１０５は、実行手順欄１０４に設定されている調整項目のうち、最後に追加された調整項目を実行手順欄１０４から削除するための操作釦である。図中では、実行手順欄１０４に既に設定されている調整項目釦１０２のうち、最後に追加された調整項目を示す部分（現在削除対象である部分）はグレー表示されている。
【００６５】
確定ボタン１０６は、画面１００にて設定された内容を確定するための操作釦である。
【００６６】
本発明の実施の形態では、画像形成装置１０は、確定ボタン１０６が押下されたら、前述の（調整内容２）に示す内容を設定するための画面１１０を表示する。図４は画面１１０の例を示す。
【００６７】
画面１１０内には、自装置の状態に係る６つの各実行開始条件を示す装置状態開始条件項目１１２（Ａ〜Ｆ）が表示されている。各装置状態開始条件項目１１２の隣には、有効/無効を切り替える為の選択釦や、実行開始条件の詳細な内容を設定するための入力欄等が表示されている。
【００６８】
装置状態開始条件項目１１２Ａが示す実行開始条件は朝一の起動時である。本発明の実施の形態では、一日のうち最初に電源がＯＮになったことを実行開始条件とする。装置状態開始条件項目１１２Ａの隣にある「実施しない」の選択釦が選択された場合は、実行開始条件として無効に設定する。装置状態開始条件項目１１２Ａの隣にある「実施する」の選択釦が選択された場合は、実行開始条件として有効に設定する。
【００６９】
装置状態開始条件項目１１２Ｂが示す実行開始条件は環境変化時である。本発明の実施の形態では、自装置内や付近の温度や湿度が一定以上変化したことを実行開始条件とする。温度や湿度等の情報は外部から取得してもよいし、温度計や湿度系を設置して取得してもよい。装置状態開始条件項目１１２Ｂの隣にある「実施しない」の選択釦が選択された場合は、実行開始条件として無効に設定する。装置状態開始条件項目１１２Ｂの隣にある「実施する」の選択釦が選択された場合は、実行開始条件として有効に設定する。
【００７０】
装置状態開始条件項目１１２Ｃが示す実行開始条件は異常画像検知時である。本発明の実施の形態では、画像形成装置１０が画像形成の対象となった画像と、実際に画像形成された記録紙上の画像を比較して該画像形成に異常があったか否かを判断し、異常があったと判断したことを実行開始条件とする。装置状態開始条件項目１１２Ｃの隣にある「実施しない」の選択釦が選択された場合は、実行開始条件として無効に設定する。装置状態開始条件項目１１２Ｃの隣にある「実施する」の選択釦が選択された場合は、実行開始条件として有効に設定する。
【００７１】
装置状態開始条件項目１１２Ｄが示す実行開始条件は出力時間間隔である。本発明の実施の形態では、前回画質確保調整を実行した後、印刷している時間がＸ（Ｘ＝１以上の整数）分経過したことを実行開始条件とする。装置状態開始条件項目１１２Ｄの隣にある「指定なし」の選択釦が選択された場合は、実行開始条件として無効に設定する。装置状態開始条件項目１１２Ｄの隣にある「Ｘ分」の入力欄に対する操作を受けた場合は、テンキー等を表示してＸの数値の入力を受けるとともに、実行開始条件として有効に設定する。
【００７２】
装置状態開始条件項目１１２Ｅが示す実行開始条件は出力枚数間隔である。本発明の実施の形態では、前回画質確保調整を実行した後、出力した用紙の枚数がＹ（Ｙ＝１以上の整数）枚に達したことを実行開始条件とする。装置状態開始条件項目１１２Ｅの隣にある「指定なし」の選択釦が選択された場合は、実行開始条件として無効に設定する。装置状態開始条件項目１１２Ｅの隣にある「Ｙ枚」の入力欄に対する操作を受けた場合は、テンキー等を表示してＹの数値の入力を受けるとともに、実行開始条件として有効に設定する。
【００７３】
装置状態開始条件項目１１２Ｆが示す実行開始条件は放置時間間隔である。本発明の実施の形態では、印刷ジョブを実行していないままＺ（Ｚ＝１以上の整数）分時間が経過したことを実行開始条件とする。装置状態開始条件項目１１２Ｆの隣にある「指定なし」の選択釦が選択された場合は、実行開始条件として無効に設定する。装置状態開始条件項目１１２Ｆの隣にある「Ｚ分」の入力欄に対する操作を受けた場合は、テンキー等を表示してＺの数値の入力を受けるとともに、実行開始条件として有効に設定する。
【００７４】
画面１１０では、選択されている状態の選択釦および、数値を入力された入力欄はグレー表示される。確定ボタン１１１は、画面１１０にて設定された内容を確定するための操作釦である。
【００７５】
本発明の実施の形態では、画像形成装置１０は、確定ボタン１１１が押下されたら、前述の（調整内容３）に示す内容を設定するための画面１２０を表示する。図５は画面１２０の例を示す。
【００７６】
画面１２０内には、一括設定項目１２１（図中では「画像形成条件による実施」と記す）、調整実施タイミング設定項目１２２（図中では「調整実施タイミング」と記す）、画像形成条件に係る実行開始条件を示す８つの印刷設定実行開始条件設定欄１２３（Ａ〜Ｈ）が表示されている。各印刷設定実行開始条件設定欄１２３の隣には、有効/無効を切り替える為の選択釦や詳細な内容を設定するための入力欄などが表示されており、個別に実行開始条件の有効/無効を設定することができる。
【００７７】
一括設定項目１２１の隣には、各印刷設定実行開始条件設定欄１２３にて個別に有効/無効を設定した実行開始条件のうち、有効に設定した実行開始条件について一括で有効/無効を切り替えるための選択釦が表示されている。一括設定項目１２１の隣に表示されている「しない」の選択釦が選択された場合は、印刷設定実行開始条件設定欄１２３（Ａ〜Ｈ）の示す実行開始条件を全て一括で無効に設定する。
【００７８】
本発明の実施の形態では一括設定項目１２１の隣に表示されている「しない」の選択釦が選択されている場合は、印刷設定実行開始条件設定欄１２３にて実行開始条件の有効/無効を選択不可能とする。一括設定項目１２１の隣に表示されている「する」の設定釦が選択されている場合は、各印刷設定実行開始条件設定欄１２３にて個別に実行開始条件の有効/無効を選択可能とする。
【００７９】
調整実施タイミング設定項目１２２の隣には、印刷設定実行開始条件設定欄１２３の示す画像形成条件による実行開始条件が成立しているかを調べるタイミングを設定するための選択釦と入力欄が表示されている。
【００８０】
調整実施タイミング設定項目１２２の隣に表示されている「毎ジョブ時」の選択釦が選択された場合は、印刷ジョブを実行する前に毎回、実行開始条件が成立しているかを調べ、成立している場合に画質確保調整を実行する。
【００８１】
調整実施タイミング設定項目１２２の隣に表示されている「Ｎ枚出力後のジョブ開始時」の入力欄に対する操作を受けた場合は、テンキー等を表示してＮの数値の入力を受ける。画像形成装置１０はＮの数値の入力を受けたら、前回画質確保調整を実行してからＮ枚の用紙を出力するまでは実行開始条件が成立しているかを調べず、Ｎ枚の用紙を出力した後は、印刷ジョブを実行する前に毎回、実行開始条件が成立しているかを調べ、成立している場合に画質確保調整を実行する。
【００８２】
次に、８つの印刷設定実行開始条件設定欄１２３（Ａ〜Ｈ）の示す実行開始条件について詳細な内容を説明する。
【００８３】
印刷設定実行開始条件設定欄１２３Ａ（図中の調整対象ユーザの設定欄）では、印刷ジョブを入力したユーザが、プロファイルの作成者と一致する場合にのみこのプロファイルによる画質確保調整を実行するか、ユーザを問わないかを設定する。「プロファイル登録ユーザのみ」の選択釦を選択した場合、印刷ジョブを入力したユーザとプロファイルの作成者が一致すれば、他の実行開始条件に従って当該プロファイルに基づく画質確保調整が実施され、不一致ならば、他の実行開始条件が成立した場合でも当該プロファイルに基づく画質確保調整は実施されない。「指定なし」の選択釦が選択された場合、印刷ジョブを入力したユーザとプロファイルの作成者が一致するか否かは考慮されず他の実行開始条件に従って当該プロファイルに基づく画質確保調整の実施／不実施が判断される。
【００８４】
これにより、一のユーザが印刷ジョブを入力したとき、他のユーザが登録したプロファイルの調整が意図せずに実行されてしまうことを防ぐことができる。なお、本発明の実行の形態では、プロファイルの作成時にログイン中のユーザをそのプロファイルの作成者として紐付けるものとするが、ユーザ情報の入力を受け、その受け付けたユーザを作成者として紐付けてもよい。複数のユーザを紐付けてもよい。個別のユーザではなく、ユーザのステータス（たとえば、管理者、課長クラス以上等）等を紐付けるようにしてもよい。
【００８５】
印刷設定実行開始条件設定欄１２３Ｂ（図中のカラーモードの設定欄）では、カラー印刷であることを実行開始条件とする、モノクロ印刷であることを実行開始条件とする、およびカラー/モノクロ印刷を実行開始条件としない（指定無し）、の切り替えが可能である。「指定なし」の選択釦が選択された場合は、印刷ジョブが、カラー/モノクロであるかは考慮されず他の実行開始条件に従って当該プロファイルに基づく画質確保調整の実施／不実施が判断される。「カラー印刷」もしくは「モノクロ印刷」の選択釦が選択された場合は、その選択された内容の印刷であるか否かを一の判断要素として当該プロファイルに基づく画質確保調整の実施／不実施が判断される。
【００８６】
印刷設定実行開始条件設定欄１２３Ｃ（図中の画像種類の設定欄）では、印刷対象の画像が文字であることを実行開始条件とする、写真であることを実行開始条件とする、および文字/写真を実行開始条件としない（指定なし）、の切り替えが可能である。「指定なし」の選択釦が選択された場合は、印刷対象の画像が文字/写真であるかは考慮されず他の実行開始条件に従って当該プロファイルに基づく画質確保調整の実施／不実施が判断される。「文字」もしくは「写真」の選択釦が選択された場合は、その選択された画像を対象とする印刷であるか否かを一の判断要素として当該プロファイルに基づく画質確保調整の実施／不実施が判断される。
【００８７】
印刷設定実行開始条件設定欄１２３Ｄ（図中の最高濃度の設定欄）では、印刷対象の画像内での最高濃度がＭ（１〜２５５）以上であることを実行開始条件とする、印刷対象の画像内での最高濃度を実行開始条件としない（指定なし）の切り替えが可能である。「指定なし」の選択釦が選択された場合は、印刷対象の画像内での最高濃度は考慮されず他の実行開始条件に従って当該プロファイルに基づく画質確保調整の実施／不実施が判断される。印刷設定実行開始条件設定欄１２３Ｄの隣に表示されている「Ｍ以上（１〜２５５）」の入力欄に対する操作を受けた場合は、テンキー等を表示してＭの数値（１〜２５５まで）の入力を受けるとともに、印刷対象の画像内での最高濃度がＭ以上であるか否かを一の判断要素として当該プロファイルに基づく画質確保調整の実施／不実施が判断される。
【００８８】
印刷設定実行開始条件設定欄１２３Ｅ（図中のカバレッジ率の設定欄）では、カバレッジ率（印字率）がＰ％以上であることを実行開始条件とする、カバレッジ率を実行開始条件としない（指定なし）の切り替えが可能である。「指定なし」の選択釦が選択された場合は、印刷時におけるカバレッジ率は考慮されず他の実行開始条件に従って当該プロファイルに基づく画質確保調整の実施／不実施が判断される。印刷設定実行開始条件設定欄１２３Ｅの隣に表示されている「Ｐ％以上」の入力欄に対する操作を受けた場合は、テンキー等を表示してＰの数値（１〜１００まで）の入力を受けるとともに、印刷時におけるカバレッジ率がＰ％以上であるか否かを一の判断要素として当該プロファイルに基づく画質確保調整の実施／不実施が判断される。
【００８９】
印刷設定実行開始条件設定欄１２３Ｆ（図中の解像度の設定欄）では、解像度が６００dpi以上であることを実行開始条件とする、解像度が１２００dpi以上であることを実行開始条件とする、解像度を実行開始条件としない（指定なし）の切り替えが可能である。「指定なし」の選択釦が選択された場合は、印刷時における解像度は考慮されず他の実行開始条件に従って当該プロファイルに基づく画質確保調整の実施／不実施が判断される。「６００dpi以上」もしくは「１２００dpi以上」の選択釦が選択された場合は、その選択された解像度での印刷であるか否かを一の判断要素として当該プロファイルに基づく画質確保調整の実施／不実施が判断される。
【００９０】
印刷設定実行開始条件設定欄１２３Ｇ（図中の総出力数の設定欄）では、印刷ジョブの印刷予定枚数がＱ枚以上であることを実行開始条件とする、印刷予定枚数を実行開始条件としない（指定なし）の切り替えが可能である。「指定なし」の選択釦が選択された場合は、印刷ジョブの示す印刷予定枚数は考慮されず他の実行開始条件に従って当該プロファイルに基づく画質確保調整の実施／不実施が判断される。「Ｑ枚以上」の入力欄に対する操作を受けた場合は、テンキー等を表示してＱの数値の入力を受けるとともに、印刷時におけるカバレッジ率がＰ％以上であるか否かを一の判断要素として当該プロファイルに基づく画質確保調整の実施／不実施が判断される。
【００９１】
印刷設定実行開始条件設定欄１２３Ｈ（図中の印刷モードの設定欄）では、片面印刷の印刷ジョブであることを実行開始条件とする、両面印刷の印刷ジョブであることを実行開始条件とする、片面/両面印刷であることを実行開始条件としない（指定なし）の切り替えが可能である。「指定なし」の選択釦が選択された場合は、印刷ジョブが、片面/両面印刷であるかは考慮されず他の実行開始条件に従って当該プロファイルに基づく画質確保調整の実施／不実施が判断される。「片面ジョブ」もしくは「両面ジョブ」の選択釦が選択された場合は、その選択された内容の印刷であるか否かを一の判断要素として当該プロファイルに基づく画質確保調整の実施／不実施が判断される。
【００９２】
画面１２０では、選択されている状態の選択釦や、数値が入力されている状態の入力欄についてはグレー表示される。
【００９３】
画像形成装置１０は、登録ボタン１２４が押下されたら画面１２０内で受けた設定内容を確定するとともに、画面１００、画面１１０、画面１２０で設定された内容のプロファイルを作成して自装置のハードディスク装置１５に登録する。該登録が完了したら画面１３０（図６参照）に戻る。なお、画面１２０にてキャンセル釦１２５が押下された場合は、画面１００、画面１１０、画面１２０で設定された内容をキャンセルし、画面１３０に戻る。
【００９４】
図６は、登録されたプロファイルの一覧であるプロファイル群１３６を示す画面１３０の例を示す。図６では、８つのプロファイルが登録されており、その８つのプロファイルがプロファイル群１３６として表示されている。画面１３０には、８つのプロファイルの他に、削除ボタン１３３、編集ボタン１３２、新規登録ボタン１３１、調整実行ボタン１３４、終了ボタン１３５が表示されている。
【００９５】
画像形成装置１０は、画面１３０に表示されているプロファイルのうち、少なくともいずれか１つが選択されている状態で削除ボタン１３３が押下されたら、その選択されているプロファイルを削除する。
【００９６】
画像形成装置１０は、画面１３０に表示されているプロファイルのうちいずれか１つが選択されている状態で編集ボタン１３２が押下されたら、その選択されているプロファイルの内容の編集を行う。該編集は、前述した画面１００、画面１１０、画面１２０にて行われ、登録ボタン１２４が押下されたら、画面１００、画面１１０、画面１２０で行われた設定内容を上書き保存する。
【００９７】
画像形成装置１０は、新規登録ボタン１３１が押下されたら新たなプロファイルの作成を行う。前述したように画面１００、画面１１０、画面１２０にて設定操作を受けて作成する。
【００９８】
画像形成装置１０は、画面１３０に表示されているプロファイルのうちいずれか１つが選択されている状態で調整実行ボタン１３４が押下されたら、その選択されているプロファイルの内容の画質確保調整を直ぐに実行する。
【００９９】
画像形成装置１０は、終了ボタン１３５が押下されたら画面１３０からデフォルトの画面に戻す。
【０１００】
次に、画像形成装置１０がプロファイルに基づいて、画質確保調整を行う場合の流れについて図７、図８を参照しつつ説明する。
【０１０１】
図７では、印刷ジョブを受けてから該印刷ジョブを開始する前までに画質確保調整を行う処理について説明する。まず、新たな印刷ジョブを受け付けたら（ステップＳ１０１；Ｙｅｓ）、該印刷ジョブ内に、プロファイルの指定が含まれているか否かを判断する（ステップＳ１０２）。
【０１０２】
プロファイルの指定が含まれている場合は（ステップＳ１０２；Ｙｅｓ）、その指定されているプロファイルに設定されている調整の内容に従って画質確保調整を行い（ステップＳ１０３）、ステップＳ１０４に進む。
【０１０３】
プロファイルの指定が含まれていない場合は（ステップ１０２：；Ｎｏ）、自装置の現在の機械状態にて、実行開始条件が成立するプロファイルがあるか否かを調べる（ステップＳ１０４）。
【０１０４】
自装置の機械状態にて、実行開始条件が成立するプロファイルがある場合は（ステップＳ１０４；Ｙｅｓ）、その実行開始条件が成立するプロファイルに設定されている調整の内容に従って画質確保調整を行い（ステップＳ１０５）、ステップＳ１０６に進む。
【０１０５】
自装置の機械状態にて、実行開始条件が成立するプロファイルがない場合は（ステップ１０４；Ｎｏ）、ステップＳ１０１で受けた印刷ジョブの画像形成条件にて、実行開始条件が成立するプロファイルがあるか否かを調べる（ステップＳ１０６）。
【０１０６】
ステップＳ１０１で受けた印刷ジョブの画像形成条件にて、実行開始条件が成立するプロファイルがある場合は（ステップＳ１０６；Ｙｅｓ）、その実行開始条件が成立するプロファイルに設定されている調整の内容に従って画質確保調整を行い（ステップＳ１０７）、ステップＳ１０８に進む。
【０１０７】
ステップＳ１０１で受けた印刷ジョブの画像形成条件にて、実行開始条件が成立するプロファイルがない場合は（ステップ１０６；Ｎｏ）、印刷ジョブに係る画像形成を開始するとともに、印刷済みのページ数＝０を設定し（ステップＳ１０８）、図８のステップＳ１０９に進む。
【０１０８】
図８は、図７の処理の続きであって、画像形成装置１０が、印刷ジョブに基づく画像形成中に行う処理を示す。まず、自装置の機械状態にて、実行開始条件が成立するプロファイルがあるか否かを調べる（ステップＳ１０９）。
【０１０９】
自装置の現在の機械状態にて、実行開始条件が成立するプロファイルがある場合は（ステップＳ１０９；Ｙｅｓ）、その実行開始条件が成立するプロファイルに設定されている調整の内容に従って画質確保調整を行い（ステップＳ１１０）、ステップＳ１１１に進む。ステップＳ１０９〜ステップＳ１１０は、画像形成中に機械状態が変化し、実行開始条件が成立するようになった場合に対応する処理である。
【０１１０】
自装置の機械状態にて、実行開始条件が成立するプロファイルがない場合は（ステップ１０９；Ｎｏ）、この印刷ジョブに基づく印刷が完了したか否かを判断する（ステップＳ１１１）。
【０１１１】
印刷済みのページ数が、この印刷ジョブでの印刷予定の総ページ数に達していない場合は（ステップＳ１１１；Ｎｏ）、印刷が未完了であると判断し、図４の装置状態開始条件項目１１２Ｄ（出力時間間隔）と、装置状態開始条件項目１１２Ｅ（出力枚数間隔）による実行開始条件のうちの少なくとも一方が成立するプロファイルの有無を調べる（ステップＳ１１２）。具体的には、ステップＳ１１２では印刷の途中で、前回画質確保調整を実行した後で印刷した枚数や、前回画質確保調整を実行した後で印刷を行った時間に係る実行開始条件が成立するプロファイルの有無を調べている。
【０１１２】
実行開始条件が成立しているプロファイルがある場合は（ステップＳ１１２；Ｙｅｓ）、その実行開始条件が成立しているプロファイルに設定されている調整の内容に従って画質確保調整を行い（ステップＳ１１３）、ステップＳ１１４に進む。
【０１１３】
実行開始条件が成立しているプロファイルが無い場合は（ステップＳ１１２；Ｎｏ）、次に印刷対象となっているページを画像形成を行うとともに（ステップＳ１１４）、印刷済みのページ数に＋１をして（ステップＳ１１５）ステップＳ１０９に戻って処理を継続する。
【０１１４】
そして、ステップＳ１０９〜ステップＳ１１５の流れが繰り返され、印刷済みのページ数が、印刷予定の総ページ数に以上になった場合は（ステップＳ１１１；Ｙｅｓ）、本処理を終了する。
【０１１５】
なお、図７では新規の印刷ジョブが入力された場合に本処理を開始しているが、投入されたジョブが順次ジョブキューに登録され、ジョブキューの先頭から順にジョブが実行される場合は、ジョブキューの先頭の印刷ジョブの実行を開始する時に本処理を開始するようにしてもよい。
【０１１６】
次に、実行開始条件が成立するプロファイルが複数ある場合の処理について図９の例を参照しつつ説明する。
【０１１７】
まず、画像形成装置１０は、実行開始条件が成立するプロファイルが複数ある場合、その複数のプロファイルにて画質確保調整の対象となっている調整項目を解析する。重複する調整項目がない場合は、それぞれのプロファイルの内容で画質確保調整を行う。
【０１１８】
図９は、第１プロファイルと第２プロファイルの両方の実行開始条件が成立した場合であって、重複する調整項目がある場合の例を示す。図９では、第１のプロファイルと第２のプロファイルにて画質確保調整の対象となっている調整項目、およびその実行順は以下のようになっている。
第１のプロファイル、Ａ→Ｂ→Ｃ→Ｄ→Ｅ
第２のプロファイル、Ｂ→Ｄ→Ｃ→Ｅ→Ｆ
【０１１９】
画像形成装置１０は、重複する調整項目がある場合、まず、画質確保調整の対象となっている調整項目を抽出するとともに、重複している部分は１つを残して削除する。図９ではＢ、Ｃ、Ｄ、Ｅの調整項目が重複しているので、第１、第２のプロファイルからこの重複している部分を１つを残して削除するとＡ、Ｂ、Ｃ、Ｄ、Ｅ、Ｆの調整項目が残る。
【０１２０】
次に、第１、第２プロファイルにおける調整項目に対する画質確保調整の実行順を解析する。図９では、重複している調整項目のＢ、Ｃ、Ｄ、Ｅの実行順番は第１と第２のプロファイルで異なっている。本発明の実行の形態では、抽出元のプロファイルにて重複している調整項目の実行順が異なる場合は、以下の（１）、（２）のいずれかに示す方法を用いて、抽出した調整項目に対する画質確保調整の実行順を決定する。
【０１２１】
（１、プロファイルの優劣で決定する）
予め各プロファイルに優先順を設定しておき、優先順位の高いプロファイルでの実行順を参考にして、抽出され残った調整項目に対する画質確保調整の実行順を決定する。たとえば、登録された順番を優先順位とし、先に登録されたプロファイルを優先するようにする。ユーザが優先順位を指定してもよい。
【０１２２】
図９では、重複している調整項目のＢ、Ｃ、Ｄ、Ｅの実行順番は、第１と第２のプロファイルで異なっている。第１のプロファイルを優先する場合、Ｂ、Ｃ、Ｄ、Ｅの実行順番は第１のプロファイルと同じくＢ→Ｃ→Ｄ→Ｅとする。第１、第２のプロファイルではＡ→Ｂ、Ｅ→Ｆとなっているので、最終的にＡ→Ｂ→Ｃ→Ｄ→Ｅの順番で決定する。
【０１２３】
（２、調整項目に予め優先関係を設定しておき、その優先関係に従って実行順番を決定する。）
予め、調整項目ごとに優先関係を規定しておき、該優先関係に基づいて、抽出した調整項目に対する画質確保調整の実行順を決定する。図９では、重複している調整項目のうちＣとＤの調整項目の実行順番が第１と第２のプロファイルで異なっているので、ＣとＤについて設定されている優先度を参照し、ＣとＤのうちいずれに対して先に画質確保調整を行うかを決定する。Ｃ＞Ｄと優先度が設定されている場合、最終的にＡ→Ｂ→Ｃ→Ｄ→Ｅの順番で決定する。
【０１２４】
なお、全ての調整項目について優先度を設定しておく必要はない。たとえば、図９では、ＣとＤの間で優先度が設定されていれば足りる。また、重複している調整項目に対する画質確保調整の実行順番が同一である場合は、重複部分はその実行順番で決定する。
【０１２５】
本発明の実行の形態では、画像形成装置１０は、実行開始条件が成立したら必ず画質確保調整を行う構成であったが、実行間隔確保の設定のオン、オフの切り替えを可能とし、実行間隔確保の設定がオンの場合は、実行開始条件が成立していても、前回の画質確保調整が行われてから一定以上の枚数の用紙に画像形成が行われるまで、もしくは一定以上の時間が経過するまでは、次の画質確保調整を行わないような構成にしてもよい。これにより、短い間隔で何度も画質確保調整が行われることを防ぐことができる。
【０１２６】
本発明の実施の形態では、一の実行開始条件が成立した場合に画質確保調整を行う構成であったが、２以上の実行開始条件が成立する場合にのみ画質確保調整を行うような構成であってもよい。複数の実行開始条件のうち、特定の組み合わせ（ユーザが指定可能）が同時に成立した場合のみ画質確保調整を行うような構成であってもよい。
【０１２７】
このように、本発明の実行の形態では、画像形成装置１０はユーザから設定を受けたプロファイルを登録しておき、該プロファイルの実行開始条件が成立したとき、該プロファイルにて指定されている調整項目に対して画質確保調整を実行する。これにより、ユーザの望む調整を、自動で適切なタイミングで実行することができる。
【０１２８】
以上、本発明の実行の形態を図面によって説明してきたが、具体的な構成は実行の形態に示したものに限られるものではなく、本発明の要旨を逸脱しない範囲における変更や追加があっても本発明に含まれる。
【０１２９】
本発明の実行の形態では、プロファイルの登録場所、および実行開始条件が成立しているかの判断は画像形成装置１０が行っていたが、外部のサーバなどにプロファイルを登録しておき、画像形成装置１０が該サーバに対して機械状態や画像形成条件等の情報を送信して、実行開始条件が成立しているかを問い合わせるようにしてもよい。サーバは実行開始条件が成立していると判断したとき、その実行開始条件が成立しているプロファイルに設定されている調整の内容に従って画質確保調整を行うよう画像形成装置１０に指示する。
【符号の説明】
【０１３０】
１０…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
２１…ユーザ認証部
３０…操作パネル
３１…表示部
３２…操作部
３３…スイッチ部
３４…タッチパネル部
４０…定着部
５０…給紙部
５１…排紙部
６０…後処理部
１００…画面
１０１…プロファイル名入力欄
１０２（Ａ〜Ｈ）…調整項目
１０３…追加ボタン
１０４…実行手順欄
１０５…削除ボタン
１０６…確定ボタン
１１０…画面
１１１…確定ボタン
１１２（Ａ〜Ｆ）…装置状態開始条件項目
１２０…画面
１２１…一括設定項目
１２２…調整実施タイミング設定項目
１２３（Ａ〜Ｈ）…印刷設定実行開始条件設定欄
１２４…登録ボタン
１２５…キャンセル釦
１３０…画面
１３１…新規登録ボタン
１３２…編集ボタン
１３３…削除ボタン
１３４…調整実行ボタン
１３５…終了ボタン
１３６…プロファイル群
【図１】
2018043433.tif 000003
【図２】
2018043433.tif 000004
【図３】
2018043433.tif 000005
【図４】
2018043433.tif 000006
【図５】
2018043433.tif 000007
【図６】
2018043433.tif 000008
【図７】
2018043433.tif 000009
【図８】
2018043433.tif 000010
【図９】
2018043433.tif 000011